(57)【要約】【課題】複数の原稿をより簡単に集約した画像を生成することができる画像処理装置及び画像処理方法を提供することである。【解決手段】実施形態の画像処理装置は、画像読取部と、受付部と、集約画像生成部とを持つ。画像読取部は、原稿を読み取る。受付部は、読み取られた原稿の画像または画像の一部を表す部分画像の指定を受け付ける。集約画像生成部は、受付部で指定された画像または部分画像に基づいて、複数の画像を一画像上に表す集約画像を生成する。【選択図】図１
2019016951.tif 000002
【特許請求の範囲】
【請求項１】
原稿を読み取る画像読取部と、
読み取られた原稿の画像または前記画像の一部を表す部分画像の指定を受け付ける受付部と、
前記受付部で指定された画像または部分画像に基づいて、複数の画像を一画像上に表す集約画像を生成する集約画像生成部と、
を備える画像処理装置。
【請求項２】
前記受付部は、前記集約画像のサイズを指定するサイズ指定指示を受け付け、
前記集約画像生成部は、前記サイズ指定指示で指定されたサイズで前記集約画像を生成する、
請求項１に記載の画像処理装置。
【請求項３】
前記受付部は、前記集約画像に表される画像または部分画像に対する編集指示を受け付け、
前記集約画像生成部は、前記画像または部分画像を前記編集指示で指定された態様で前記集約画像を生成する、
請求項１又は２に記載の画像処理装置。
【請求項４】
前記画像または部分画像を記憶する記憶部をさらに備え、
前記受付部は、前記記憶部に記憶された前記画像または部分画像の指定を受け付け、
前記集約画像生成部は、前記受付部で指定された画像または部分画像に基づいて、前記集約画像を生成する、
請求項１から３のいずれか一項に記載の画像処理装置。
【請求項５】
画像処理装置が、原稿を読み取る画像読取ステップと、
画像処理装置が、読み取られた原稿の画像または前記画像の一部を表す部分画像の指定を受け付ける受付ステップと、
画像処理装置が、前記受付ステップで指定された画像または部分画像に基づいて、複数の画像を一画像上に表す集約画像を生成する集約画像生成ステップと、
を有する画像処理方法。
【発明の詳細な説明】
【技術分野】
【０００１】
本発明の実施形態は、画像処理装置及び画像処理方法に関する。
【背景技術】
【０００２】
写真等の複数枚の原稿を１枚のシートに集約する場合、画像処理装置は、原稿台に複数配置された原稿を読み取る、Ｎｉｎ１等のページ集約機能を用いて集約する、などの方法がある。しかし、原稿台に複数の原稿を配置する場合、原稿の向きがバラバラになり見栄えが悪くなる、原稿の枚数又はサイズによっては原稿台に置ききれない、という問題があった。また、ページ集約機能を用いる場合、原稿のサイズが縮小されて集約される。したがって、元の原稿サイズを維持したい場合、集約後の縮小率を考慮して読み込み倍率を指定するなど、設定が非常に煩雑になる場合があった。
【先行技術文献】
【特許文献】
【０００３】
【特許文献１】特開平８−３３１３６６号公報
【特許文献２】特開２００３−２３４８８７号公報
【発明の概要】
【発明が解決しようとする課題】
【０００４】
本発明が解決しようとする課題は、複数の原稿をより簡単に集約した画像を生成することができる画像処理装置及び画像処理方法を提供することである。
【課題を解決するための手段】
【０００５】
実施形態の画像処理装置は、画像読取部と、受付部と、集約画像生成部とを持つ。画像読取部は、原稿を読み取る。受付部は、読み取られた原稿の画像または前記画像の一部を表す部分画像の指定を受け付ける。集約画像生成部は、前記受付部で指定された画像または部分画像に基づいて、複数の画像を一画像上に表す集約画像を生成する。
【図面の簡単な説明】
【０００６】
【図１】実施形態の画像処理装置の全体構成例を示す外観図。
【図２】実施形態の画像処理装置の機能構成を示す機能ブロック図。
【図３】実施形態の集約画像の生成の一具体例を示す図。
【図４】実施形態の集約画像の生成の処理の流れを示すフローチャート。
【図５】実施形態の仕上げモードを選択する場合の一具体例を示す図。
【図６】実施形態の任意集約モードを選択する場合の一具体例を示す図。
【図７】実施形態の継続読込を行うか否かを選択する場合の一具体例を示す図。
【発明を実施するための形態】
【０００７】
以下、実施形態の画像処理装置及び画像処理方法を、図面を参照して説明する。
【０００８】
図１は、実施形態の画像処理装置１００の全体構成例を示す外観図である。画像処理装置１００は、例えば複合機等の画像形成装置である。画像処理装置１００は、ディスプレイ１１０、コントロールパネル１２０、プリンタ１３０、シート収容部１４０及び画像読取部２００を備える。なお、画像処理装置１００のプリンタ１３０は、トナー像を定着させる装置である。
【０００９】
画像処理装置１００は、シート上の画像を読み取ってデジタルデータを生成し、画像ファイルを生成する。シートは、例えば原稿や、文字や画像などが記載された紙などである。シートは、画像処理装置１００が読み取ることができる物であればどのような物であってもよい。
【００１０】
ディスプレイ１１０は、液晶ディスプレイ、有機ＥＬ（Electro Luminescence）ディスプレイ等の画像表示装置である。ディスプレイ１１０は、画像処理装置１００に関する種々の情報を表示する。
【００１１】
コントロールパネル１２０は、複数のボタンを有する。コントロールパネル１２０は、ユーザの操作を受け付ける。コントロールパネル１２０は、ユーザによって行われた操作に応じた信号を、画像処理装置１００の制御部に出力する。なお、ディスプレイ１１０とコントロールパネル１２０とは一体のタッチパネルとして構成されてもよい。コントロールパネル１２０は、受付部の一態様である。
【００１２】
プリンタ１３０は、画像読取部２００によって生成された画像情報又は通信路を介して受信された画像情報に基づいて、シート上に画像を形成する。プリンタ１３０は、例えば以下のような処理によって画像を形成する。プリンタ１３０の画像形成部は、画像情報に基づいて感光体ドラム上に静電潜像を形成する。プリンタ１３０の画像形成部は、静電潜像に現像剤を付着させることによって可視像を形成する。現像剤の具体例として、トナーがある。プリンタ１３０の転写部は、可視像をシート上に転写する。プリンタ１３０の定着部は、シートに対して加熱及び加圧を行うことによって、可視像をシート上に定着させる。なお、画像が形成されるシートは、シート収容部１４０に収容されているシートであってもよいし、手差しされたシートであってもよい。
【００１３】
シート収容部１４０は、プリンタ１３０における画像形成に用いられるシートを収容する。
【００１４】
画像読取部２００は、読み取り対象の画像情報を光の明暗として読み取る。画像読取部２００は、読み取られた画像情報を記録する。記録された画像情報は、ネットワークを介して他の情報処理装置に送信されてもよい。記録された画像情報は、プリンタ１３０によってシート上に画像形成されてもよい。画像情報は、読み取り対象を示す原稿画像と読み取り対象を除いた部分である背景画像とで構成される。
【００１５】
図２は、実施形態の画像処理装置１００の機能構成を示すブロック図である。画像処理装置１００は、通信部１０１、読取画像記憶部１０２、集約画像記憶部１０３、制御部１０４、ディスプレイ１１０、コントロールパネル１２０、プリンタ１３０及び画像読取部２００を備える。
【００１６】
通信部１０１は、ネットワークインタフェースである。通信部１０１はネットワークを介して、外部端末と通信する。通信部１０１は、例えばＬＡＮ（Local Area Network）、ＰＳＴＮ（Public Switched Telephone Network）又はＮＦＣ（Near Field Communication）等の通信方式で通信してもよい。
【００１７】
読取画像記憶部１０２は、磁気ハードディスク装置や半導体記憶装置等の記憶装置を用いて構成される。読取画像記憶部１０２は、画像読取部２００によって読み取られた画像情報を記憶する。
【００１８】
集約画像記憶部１０３は、磁気ハードディスク装置や半導体記憶装置等の記憶装置を用いて構成される。集約画像記憶部１０３は、集約画像を記憶する。集約画像は、独立して生成された複数の原稿の画像情報を１つに纏めた画像である。集約画像は、複数の画像が含む。
【００１９】
制御部１０４は、画像処理装置１００の各部の動作を制御する。制御部１０４は、例えばＣＰＵ（Central Processing Unit）及びＲＡＭ（Random Access Memory）を備えた装置により実行される。制御部１０４は、画像処理プログラムを実行することによって、トリミング部１０５及び集約画像生成部１０６として機能する。
【００２０】
トリミング部１０５は、読み取られた画像情報にトリミングを行う。具体的には、トリミング部１０５は、読み取られた画像情報に含まれる背景画像を画像情報から除去する。トリミング部１０５は、除去されなかった画像を原稿画像として取得する。トリミング部１０５は、取得した原稿画像を集約画像生成部１０６に出力する。トリミング部１０５は、公知の方法を用いて、画像情報のトリミングを行ってもよい。
【００２１】
集約画像生成部１０６は、集約画像を生成する。具体的には、集約画像生成部１０６は、ユーザから受け付けた入力に応じて、所定の部分画像を、集約画像に付加する。部分画像は、読み取られた画像の一部分を表す画像である。部分画像は、集約画像に付加され、集約画像の一部を構成する。所定の部分画像は、トリミング部１０５から受け付けた原稿画像であってもよいし、読取画像記憶部１０２に記憶された画像情報であってもよい。集約画像生成部１０６は、集約画像を集約画像記憶部１０３に記憶する。集約画像生成部１０６は、集約画像をプリンタ１３０に印刷させる。
【００２２】
図３は、実施形態の集約画像の生成の一具体例を示す図である。領域３００は、集約画像の編集画面の一具体例を示す。領域３００は、領域３０１、領域３０２、領域３０３、領域３０４、領域３０５、領域３０６、領域３０７、領域３０８及び領域３０９を含む。集約画像生成部１０６は、集約画像の生成に関する処理を実行する。
【００２３】
領域３０１は、原稿領域を示す。原稿領域は、トリミング部１０５から出力された原稿画像と読取画像記憶部１０２に記憶された画像情報とが表示される。原稿領域に表示される画像は、所定の大きさを持つサムネイル画像として表示される。所定の大きさは、例えば、縦３ｃｍ、横４ｃｍであってもよい。
【００２４】
領域３０２は、印刷時のシートサイズを示す領域である。領域３０２は、領域３０３を含む。領域３０３は、シートサイズの選択指示を受け付ける領域である。領域３０２は、領域３０３が選択された場合、選択可能なシートサイズ（例えば、Ａ４又はＡ３）をリスト形式で表示する。領域３０３は、選択されたシートサイズを領域３０２に表示させる。選択されたシートサイズに応じて、領域３０４に示される集約画像のサイズが拡大又は縮小される。
【００２５】
領域３０４は、編集中の集約画像を示す領域である。集約画像は、複数の原稿を任意に配置した画像である。領域３０４は、領域３４１、点線矢印３４２、点線３４３及び領域３４４を含む。領域３４１及び領域３４４は、ユーザによって集約画像に配置された原稿画像を示す。
【００２６】
領域３４１は、領域３０１の原稿領域から選択及び移動された原稿画像である。領域３４１の原稿画像は、原稿領域の２番目に表示された画像（以下「第２画像」という。）である。第２画像が、コントロールパネル１２０を介して、領域３０１から選択される。選択された第２画像は、領域３４１の任意の場所にスライド移動される。領域３４１のスライド移動が停止した位置に第２画像が表示される。点線矢印３４２は、スライド移動された第２画像の軌跡を示す。なお、点線矢印３４２は、説明のため記載した画像であり、ディスプレイ１１０には表示されない。第２画像は、点線３４３に囲まれて表示される。
【００２７】
点線３４３に囲まれた画像は、コントロールパネル１２０を介して所定の処理が行える画像であることを示す。所定の処理は、例えば、領域３０５に示される処理である。
【００２８】
領域３４４は、集約画像に配置された原稿画像である。コントロールパネル１２０を介して、領域３４４の原稿画像が選択されると、領域３４４を囲むように点線３４３が表示される。点線３４３が、領域３４４を囲むように表示された場合、第２画像を囲んでいた点線３４３は、非表示となる。ユーザは、コントロールパネル１２０を介して、領域３４４に示される原稿画像に対して、領域３０５に表示されている処理を行うことができる。
【００２９】
領域３０５は、領域３０４に含まれる原稿画像に対して実行可能な編集の処理を示す。領域３０５は、領域３５１、領域３５２、領域３５３、領域３５４、領域３５５、領域３５６及び領域３５７を含む。領域３５１から領域３５７は、コントロールパネル１２０を介して、ユーザから指示を受け付ける。領域３５１から領域３５７は、ユーザからの指示に応じて、所定の処理を実行する。
【００３０】
領域３５１は、元サイズボタンを示す。元サイズボタンが選択されると、集約画像生成部１０６は、領域３４１において選択中の原稿画像（点線３４３に囲まれている画像）を、元のサイズにする。元のサイズとは、拡大又は縮小がされていない状態の原稿画像のサイズである。
【００３１】
領域３５２は、＋ボタン及び−ボタンを示す。＋ボタンが選択されると、集約画像生成部１０６は、選択中の原稿画像を拡大させる。拡大は、原稿画像の縦横の比率を維持しつつ、原稿画像を大きく表示する処理である。＋ボタンが選択された回数又は時間に応じて、集約画像生成部１０６は、原稿画像を拡大させる。
【００３２】
−ボタンが選択されると、集約画像生成部１０６は、選択中の原稿画像を縮小させる。縮小は、原稿画像の縦横の比率を維持しつつ、原稿画像を小さく表示する処理である。−ボタンが選択された回数又は時間に応じて、集約画像生成部１０６は、原稿画像を縮小させる。
【００３３】
領域３５３は、元角度ボタンを示す。元角度ボタンが選択されると、集約画像生成部１０６は、選択中の画像を、元の角度にする。元の角度とは、左回転又は右回転されていない状態の原稿画像の角度である。
【００３４】
領域３５４は、左回転ボタン及び右回転ボタンを示す。左回転ボタンが選択されると、集約画像生成部１０６は、選択中の原稿画像を反時計回りに回転させる。左回転ボタンが選択された回数又は時間に応じて、集約画像生成部１０６は、原稿画像を反時計回りに回転させる。右回転ボタンが選択されると、集約画像生成部１０６は、選択中の原稿画像を時計回りに回転させる。右回転ボタンが選択された回数又は時間に応じて、集約画像生成部１０６は、原稿画像を時計回りに回転させる。
【００３５】
領域３５５は、トリミングボタンを示す。トリミングボタンが選択されると、集約画像生成部１０６は、選択中の原稿画像をトリミングする。具体的には、集約画像生成部１０６は、コントロールパネル１２０を介して、選択中の原稿画像に含まれる任意の領域の指定を受け付ける。集約画像生成部１０６は、指定を受け付けた領域を取得し、他の領域を除去する。
【００３６】
領域３５６は、削除ボタンを示す。削除ボタンが選択されると、集約画像生成部１０６は、選択中の原稿画像を領域３０４から除去する。領域３５７は、原稿の追加ボタンを示す。原稿の追加ボタンが選択されると、集約画像生成部１０６は、画像読取部２００に新たな原稿を読み取りさせる。集約画像生成部１０６は、新たに読み取られた画像情報を領域３０１の原稿領域に表示させる。
【００３７】
領域３０６は、スクロールバーを示す。領域３０６は縦移動させるスクロールバーである。スクロールバーは、集約画像をディスプレイ１１０に表示しきれない場合に表示される。スクロールバーが選択及び操作されると、集約画像生成部１０６は、集約画像をスクロール移動させる。なお、領域３０４の下部に、横移動させるスクロールバーが表示されてもよい。
【００３８】
領域３０７は、キャンセルボタンを示す。キャンセルボタンが選択されると、集約画像生成部１０６は、任意集約モードを終了し、モード選択画面（後述）をディスプレイ１１０に表示させる。任意集約モードは、一画像上に一枚以上の画像を付加し、さらに付加された画像のサイズ及び向きを変更することで集約画像を生成するモードである。
【００３９】
領域３０８は、保存ボタンを示す。保存ボタンが選択されると、集約画像生成部１０６は、任意集約モードを終了し、領域３０４に表示される集約画像を集約画像記憶部１０３に記憶させる。領域３０９は、印刷ボタンを示す。印刷ボタンが選択されると、集約画像生成部１０６は、任意集約モードを終了し、領域３０４に表示される集約画像をプリンタ１３０に印刷させる。
【００４０】
図４は、実施形態の集約画像の生成の処理の流れを示すフローチャートである。画像処理装置１００のコントロールパネル１２０は、ユーザから仕上げモードの指示を受け付ける（ＡＣＴ１０１）。
【００４１】
図５は、実施形態の仕上げモードを選択する場合の一具体例を示す図である。領域４００は、ディスプレイ１１０に表示されるモード選択画面の一具体例を示す。領域４００は、領域４０１を含む。領域４０１は、印刷されたシートの仕上げモードを選択する画面に遷移させる領域である。制御部１０４は、コントロールパネル１２０がユーザから領域４０１の選択を受け付けることで、仕上げモードに遷移させる。仕上げモードは、印刷されたシートの仕上がり状態を決定するモードである。仕上げモードでは、例えば、シートをソートして排紙するか否か、排紙されるシートの向き、任意集約が行われるか否かを決定する。
【００４２】
図４に戻り、フローチャートの説明を続ける。コントロールパネル１２０は、ユーザから任意集約モードの指示を受け付ける（ＡＣＴ１０２）。図６は、実施形態の任意集約モードを選択する場合の一具体例を示す図である。ユーザから仕上げモードの選択を受け付けた場合、領域４００に領域５００が重畳してディスプレイ１１０に表示される。領域５００は、仕上げモードを表す画面の一具体例を示す。領域５００は、領域５０１を含む。領域５０１は、任意集約モードに遷移させる領域である。制御部１０４は、コントロールパネル１２０がユーザから領域５０１の選択を受け付けることで、任意集約モードに遷移させる。
【００４３】
図４に戻り、フローチャートの説明を続ける。画像処理装置１００の画像読取部２００は、配置された原稿を読み取る（ＡＣＴ１０３）。画像読取部２００は、読み取った原稿から画像情報を生成する。トリミング部１０５は、画像情報から原稿画像を取得し、集約画像生成部１０６に出力する（ＡＣＴ１０４）。
【００４４】
コントロールパネル１２０は、ユーザから継続読込を行うか否かの指示を受け付ける（ＡＣＴ１０５）。図７は、実施形態の継続読込を行うか否かを選択する場合の一具体例を示す図である。原稿が読み取られた場合、領域４００及び領域５００に、領域６００が重畳してディスプレイ１１０に表示される。領域６００は、継続して原稿を読み取るか否かを受け付ける画面の一具体例を示す。領域６００は、領域６０１及び領域６０２を含む。領域６０１は、継続して原稿を読み取ることが選択される領域である。制御部１０４は、コントロールパネル１２０がユーザから領域６０１の選択を受け付けることで、画像読取部２００に原稿を読み取りさせる。領域６０２は、原稿の読取を終了することが選択される領域である。制御部１０４は、コントロールパネル１２０がユーザから領域６０２の選択を受け付けることで、画像読取部２００に原稿の読取を終了させる。
【００４５】
図４に戻り、フローチャートの説明を続ける。制御部１０４は、受け付けた指示が、継続読取であるか否か判定する（ＡＣＴ１０６）。継続読取である場合（ＡＣＴ１０６：ＹＥＳ）、ＡＣＴ１０３に遷移する。継続読取でない場合（ＡＣＴ１０６：ＮＯ）、制御部１０４は、集約画像を含む任意集約画面をディスプレイ１１０に表示させる（ＡＣＴ１０７）。
【００４６】
集約画像生成部１０６は、ユーザからコントロールパネル１２０を介して指示を受け付ける（ＡＣＴ１０８）。集約画像生成部１０６は、受け付けた指示が保存の指示であるか否か判定する（ＡＣＴ１０９）。受け付けた指示が保存の指示である場合（ＡＣＴ１０９：ＹＥＳ）、集約画像生成部１０６は、集約画像を集約画像記憶部１０３に記憶させ、処理を終了する（ＡＣＴ１１０）。
【００４７】
受け付けた指示が保存の指示でない場合（ＡＣＴ１０９：ＮＯ）、受け付けた指示が印刷の指示であるか否か判定する（ＡＣＴ１１１）。受け付けた指示が印刷の指示である場合（ＡＣＴ１１１：ＹＥＳ）、集約画像生成部１０６は、集約画像をプリンタ１３０に印刷させ、処理を終了する（ＡＣＴ１１２）。
【００４８】
受け付けた指示が印刷の指示でない場合（ＡＣＴ１１１：ＮＯ）、集約画像生成部１０６は、集約画像を受け付けた指示に応じて加工し、ＡＣＴ１０８に遷移する（ＡＣＴ１１３）。具体的には、図３に示されるような処理である。
【００４９】
このように構成された画像処理装置１００では、集約画像生成部１０６が、複数の画像を1枚の画像に集約した集約画像を生成する。集約画像生成部１０６は、生成した集約画像を印刷させる。したがって、ユーザは、複数の原稿を１枚に集約して印刷できる。具体的な利用例として、例えば、免許証の両面を1枚のシートに印刷できる。
【００５０】
さらに、集約画像生成部１０６は、集約画像に含まれる原稿画像の原稿サイズ又は角度を変更した場合でも、ボタン一つで原稿サイズ及び角度を元の状態に戻すことができる。また、集約画像生成部１０６は、集約画像を編集中に、シートサイズを変更できる。したがって、複数の画像が等倍で配置された場合であっても、全ての画像が収まるシートサイズを容易に選択できる。
【００５１】
上記各実施形態では、集約画像生成部１０６はソフトウェア機能部であるものとしたが、ＬＳＩ等のハードウェア機能部であってもよい。
【００５２】
以上説明した少なくともひとつの実施形態によれば、集約画像生成部１０６を持つことにより、複数の原稿をより簡単に集約して印刷をすることができる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。これらの実施形態には、プリンタ１３０等の画像形成部を有さない画像読取装置（例えば、スキャナ）単体も含まれる。
【符号の説明】
【００５４】
１００…画像処理装置、１０１…通信部、１０２…読取画像記憶部、１０３…集約画像記憶部、１０４…制御部、１０５…トリミング部、１０６…集約画像生成部、１１０…ディスプレイ、１２０…コントロールパネル、１３０…プリンタ、１４０…シート収容部、２００…画像読取部
【図１】
2019016951.tif 000003
【図２】
2019016951.tif 000004
【図３】
2019016951.tif 000005
【図４】
2019016951.tif 000006
【図５】
2019016951.tif 000007
【図６】
2019016951.tif 000008
【図７】
2019016951.tif 000009